【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
光ファイバーをコネクターに設けるためのデバイスであって、
光ファイバー・クリーブ機構、
コネクター保持手段、および
ファイバー挿入機構
を有して成り、
「光ファイバー・クリーブ機構により光ファイバーをクリーブして光ファイバーの端部の形成を可能とするクリーブの向き」から「コネクター保持手段で保持されたコネクター内へと光ファイバーの端部を挿入することを可能とする挿入の向き」へとファイバー挿入機構を動かすことができるようになっており、また
光ファイバーがクリーブされ、コネクターに挿入される間において、クリーブされた光ファイバーの端部とファイバー挿入機構との相対的な位置が同じに保持されるように該デバイスが構成されている、
デバイス。
【請求項２】
光ファイバーの端部がコネクターに対して予め決められた向きでコネクターに挿入される、請求項１に記載のデバイス。
【請求項３】
光ファイバー・クリーブ機構は、光ファイバーをクリーブして、形成された光ファイバーの端部の端面を光ファイバーの長手方向軸に対して非直角な角度に向き決めするように構成されている、請求項１または２に記載のデバイス。
【請求項４】
挿入機構による光ファイバーのコネクターへの挿入では、ファイバーの非直角な端面の向きがコネクターに対して所定のようになる、請求項３に記載のデバイス。
【請求項５】
メイン・ボディを有して成り、そのメイン・ボディ内に光ファイバー・クリーブ機構が設けられている、請求項１〜４のいずれかに記載のデバイス。
【請求項６】
メイン・ボディの開口部に光ファイバーを単に挿入するだけで、クリーブされる光ファイバーを光ファイバー・クリーブ機構にアクセスさせることができる、請求項５に記載のデバイス。
【請求項７】
挿入機構によって光ファイバーを操作すると、光ファイバーの端部がコネクターに挿入される、請求項１〜６のいずれかに記載のデバイス。
【請求項８】
ファイバー挿入機構は、光ファイバーをコネクターに挿入するために、光ファイバーのクリーブされた端部を、光ファイバーの長手方向軸（光ファイバーのクリーブされた端部から延在する軸）に沿った方向でコネクター・ホルダーに対して移動させる、請求項７に記載のデバイス。
【請求項９】
ファイバー挿入機構による光ファイバーの軸方向への移動には、コネクター内に光ファイバーが充分に挿入されるロック状態となるまで、ファイバー挿入機構が移動することが含まれる、請求項８に記載のデバイス。
【請求項１０】
ファイバー挿入機構がそのロック状態にある場合、ファイバー挿入機構が、光ファイバーのコネクターからの取り外しに抵抗するようになっており、ファイバー挿入機構の弾性手段が光ファイバーに対して挿入力を加える、請求項９に記載のデバイス。
【請求項１１】
ファイバー挿入機構が湾曲サポートを有して成り、
光ファイバーの端部がコネクターに挿入される際に光ファイバーを湾曲サポートで保持する、請求項１〜１０のいずれかに記載のデバイス。
【請求項１２】
湾曲サポートは、少なくとも部分的なディスクを有して成り、そのディスクの周縁で光ファイバーを保持する、請求項１１に記載のデバイス。
【請求項１３】
ファイバー挿入機構は、光ファイバーがクリーブされる間において光ファイバーをクランプする、請求項１〜１２のいずれかに記載のデバイス。
【請求項１４】
光ファイバーがクリーブされた後、光ファイバーがコネクター内に挿入されるまで、ファイバー挿入機構による光ファイバーのクランプ状態が維持される、請求項１３に記載のデバイス。
【請求項１５】
サポートの少なくとも部分的なディスクに設けられたピボット式ファイバー・ロック部材を、ディスクの少なくとも一部の周縁の回りで回転させることによって、光ファイバーをサポートにクランプおよび保持する、請求項１２に従属する場合の請求項１３または１４に記載のデバイス。
【請求項１６】
ファイバー・ロック部材の回転によって光ファイバーがサポートの周縁の溝部に捕捉されるようになっており、
溝部の深さは、サポートの周縁に沿ってファイバー・ロック部材の回転方向に減少している、請求項１５に記載のデバイス。
【請求項１７】
光ファイバーをコネクターに挿入するために、ファイバー挿入機構は、クリーブの向きと挿入の向きとの間において光ファイバーの端部をコネクター・ホルダーに対して回転させる、請求項７またはそれに従属するいずれかの請求項に記載のデバイス。
【請求項１８】
ファイバー挿入機構によって、光ファイバーが実質的に９０°回転する、請求項１７に記載のデバイス。
【請求項１９】
コネクター保持手段は、コネクターのためのクレードルを有して成り、
該クレードルが、デバイスの他の部分に対して動くことができるようになっている、請求項１〜１８のいずれかに記載のデバイス。
【請求項２０】
クレードルは、２つの対向する挿入位置の間にてデバイスのメイン・ボディを横断するように動くことができ、クレードルによって保持されたコネクターの対向するそれぞれの端部内に光ファイバーが挿入されてコネクターにて光ファイバー・スプライスが形成される、請求項５またはそれに従属するいずれかの請求項に従属する場合の請求項１９に記載のデバイス。
【請求項２１】
ファイバー挿入機構がそのクリーブの向きとは反対側に位置することになるファイバー挿入機構の対向する２つの挿入の向きが存在し、
対向する挿入方向においては、クレードルの２つの対向する挿入位置にそれぞれ配置される光ファイバーがコネクター内に挿入されることになる、請求項１７またはそれに従属するいずれかの請求項に従属する場合の請求項２０に記載のデバイス。
【請求項２２】
光ファイバー・クリーブ機構は、光ファイバーの端面を非直角に形成するように構成されており、それによって、コネクター保持手段によって保持されたコネクター内に光ファイバーが挿入される方向に対して実質的に垂直な方向の面に光ファイバーの端面が存在する、請求項３またはそれに従属するいずれかの請求項に記載のデバイス。
【請求項２３】
コネクターでスプライスされる２つの光ファイバーの非直角な端面は、光ファイバーの長手方向軸を含んだ回転軸の回りで１８０°回転した状態で対向している、請求項２１に従属する場合の２２に記載のデバイス。
【請求項２４】
コネクター保持手段によって保持されたコネクターを開いて、コネクター内に光ファイバーを挿入できるように、コネクター保持手段に対して動くことができるウエッジ部材を１つ又はそれよりも多く更に有して成る、請求項１〜２３のいずれかに記載のデバイス。
【請求項２５】
クレードルの各々の挿入位置に隣接して配置されたウエッジ部材を１つ又はそれよりも多く有して成り、
ウエッジ部材が、クレードルによって保持されたコネクターの個々のパーツだけを開き、コネクターの個々の対向する端部内に光ファイバーを挿入できるように構成されている、請求項２０またはそれに従属するいずれかの請求項に従属する場合の請求項２４に記載のデバイス。
【請求項２６】
少なくとも１つのハンドルを更に有して成り、該ハンドルを動作状態となるまで動かすと、光ファイバー・クリーブ機構によって光ファイバーがクリーブされる、請求項１〜２５のいずれかに記載のデバイス。
【請求項２７】
手動ツールを有して成る、請求項１〜２６のいずれかに記載のデバイス。
【請求項２８】
光ファイバー・コネクターに光ファイバーを設ける、請求項１〜２７のいずれかに記載のデバイスの使用。
【請求項２９】
コネクターが少なくとも２つのパーツを有して成り、その少なくとも２つのパーツの間に光ファイバーをデバイスのファイバー挿入機構を用いて挿入する、請求項２８に記載の使用。
【請求項３０】
コネクター内に光ファイバーを挿入することができるように、ウエッジ部材によってコネクターのパーツを開ける、請求項２４に従属する場合の請求項２９に記載の使用。
【請求項３１】
デバイスのコネクター、ウエッジ部材およびコネクター保持手段は、ウエッジ部材がコネクターの一部のみを一時的に開けるような構成となっており、それによって、コネクターの開かれた部分とは別の部分を開かないようにしつつ、コネクターの開かれた部分に光ファイバーを挿入する、請求項３０に記載の使用。